(57)【要約】【課題】  本発明は、従来のルアーの色・模様・形・アクション・飛距離など、いままでの機能は失わず、ルアー本体、とくに腹部のアピール力を上げ、従来のルアーよりも魚やイカなどのフィシング獲物の活性を上げ、食いつき良好にし、これによって釣果を上げることを目的としたものである。【解決手段】  ルアー本体の腹部に複数の薄い板からなる可動片を設けることにより、昼間は太陽の光、夜は月明かりや港の近くにある常夜灯などの光を反射することで腹部のアピール力を上げ、上下左右のアクションの変化に関係なく、ルアーが水を切って前に進んでいる状態であれば水の抵抗をうけ、音を常時発生させ、アピール力の強いルアーを可能にするものである。【選択図】図３
2010041987.tif 000002
【特許請求の範囲】
【請求項１】
フィシングで疑似餌として用いられるルアーであって、ルアー本体の腹部に複数の薄い板からなる可動片を設けることにより、左右にひねりながら前後に倒れ、光の反射によるアピールと音を常時発生させるアピールを特徴としるルアー。
【請求項２】
ルアー本体にリング状のフックを設け、このフックを前記可動片に開口する穴に通してなる請求項１記載のルアー
【発明の詳細な説明】
【技術分野】
【０００１】  本発明は、フィッシングで疑似餌として用いられるルアーに関するものである。
【背景技術】
【０００２】  従来のルアーは、ルアー本体の腹部に足様体を設けたルアーがある。（例えば特許文献１参照）
従来のルアーは、ルアー本体の内部にガラス製のラトルボールという玉とウエイトオシレート機構の中にあるタングステンの玉がルアー本体の内部に入っており、ルアーにアクションをくわえたとき、ルアー本体の中を移動して、ルアー本体の内部ボディーやラトルボール同士がぶつかり、音を発生させアピールするルアーがある。（例えば非特許文献１参照）（例えば非特許文献２参照）
魚が小魚などの餌を捕食するときは、小魚の背後下から小魚を捕食することが多い。従って、従来のルアーは、腹部のアピール力が弱いと言える。（例えば非特許文献３参照）（例えば非特許文献４参照）
【特許文献１】  特開平２００３−２６５０７３号  公報
【非特許文献１】  Ｌｕｒｅ  Ｆｉｓｈｉｎｇ  Ｈａｎｄｂｏｏｋ  ２００７  Ｐ２３  ダイワ精工株式会社
【非特許文献２】  ＤＶＤ  釣れる日中エギング  Ｅｇｉｎｇ  Ｅｖｏｌｕｔｉｏｎ  ＴＨＥ  ＭＯＶＩＥ  餌木の選び方
【非特許文献３】  ＤＶＤ  ＳＥＡＢＡＳＳ  ＤＡＹ  ＧＡＭＥ  水中で見るバイトシーン  ダイワ精工株式会社
【非特許文献４】  近江卓  成澤哲夫編著者  「釣り魚図典」小学館  １９９８年９月１０日  日初版第２刷発行  Ｐ１４
【発明の開示】
【発明が解決しようとする課題】
【０００３】  以上の述べた従来のルアーは、ルアー本体の上下左右の動きの変化が起こったとき、ルアー本体の内部にある玉が転がり音を発生させている。【０００４】  従来のルアーは、腹部に足様体を設けているが、アピール効果としては見た目だけである。【０００５】  従来のルアーは、ルアー腹部のアピール力が弱く、前後に可動し、光を反射して光る、薄い板からなる可動片を設けたものはない。【０００６】  本発明は、このような従来の問題を解決しようとするものであり、従来のルアーよりも魚やイカなどフィシング獲物の活性を上げ、食いつきを良好にし、これによって、釣果を上げることができるルアーを提供することを目的とするものである。
【課題を解決するための手段】
【０００７】  課題解決手段による作用は次の通りである。すなわち、ルアー本体の腹部に薄い板からなる可動片を複数設けることにより、腹部のアピール力が上がり、上下左右のアクションの変化に関係なく、ルアーが水を切って前に進んでいる状態であれば、リング状のフックと薄い板が擦りあわさり音を常時発生させることが可能である。【０００８】  リング状のフックと薄い板が擦りあわさり音が発生するため、天候や水質や時間など、ルアーを発見しにくい状況でも、魚やイカなどのフィシング獲物の聴覚器官に対してアピールすることで、ルアーを発見しやすくしている。【０００９】  腹部に設けた薄い板は、昼間は太陽の光、夜は月明かりや港の近くにある常夜灯などの光を反射してキラキラと光り、魚やイカなどのフィシング獲物の視覚器官に対してアピールする。したがって、魚やイカなどのフィシング獲物の活性を上げることが可能である。
【発明の効果】
【００１０】  本発明は、ルアーの腹部に薄い板からなる可動片を複数設けることにより、色や模様や形やアクションや飛距離など、従来のルアーの機能を失わず、天候や水質や時間など、魚やイカなどのフィシング獲物の視覚でルアーが発見しにくい状況でも、音を常時発生させているため、従来のルアーよりも魚やイカなどのフィシング獲物がルアーの泳いでいる位置を発見しやすくなっている。また、薄い板は、昼間は太陽の光、夜は月明かりや港の近くにある常夜灯などの光を反射してキラキラと光りアピールする。したがって、薄い板からなる可動片を複数設けることで、光の反射によるアピールと音によるアピ−ルがくわわり、従来のルアーよりもアピール力の強いルアーが可能である。【００１１】  従来のルアーの音の発声方法は、ルアー本体の内部にあるガラス製のラトルボールという玉とウエイトオシレート機構の中にあるタングステンの玉がルアーの上下左右のアクションの変化が起こった瞬間、玉が転がり、ルアー本体の内部や玉同士がぶつかりあって音を発生させており、原理はマラカスで音を発生させるやり方と同じである。したがって、上下左右の動きがなく、水平に前へ進む、ただ引きやズル引きの状態では、玉が転がらないため音は発生しません。しかし、本発明の音の鳴る原理は、薄い板がルアー本体の外部にあり、上下左右のアクションに関係なく、ルアーが水を切って前に進んでいる状態であれば、薄い板が水の抵抗をうけ、前後に可動し、ルアー本体と薄い板を接続しているリング状のフックと、薄い板が擦りあわさり、音を常時発生させることが可能である。【００１２】  本発明の薄い板からなる可動片は、ミノープラグやトップウォータープラグなど、プラグの腹部に設けることが可能であり、魚を釣るときに使用するルアーの腹部に設けた場合、例えば大型の魚が小魚を捕食するとき、小魚の背後下から小魚を捕食することが多く、大型の魚が小魚を見ている目線は、ルアーの腹部もしくは、横が多いと考えられる。したがって、本発明の薄い板からなる可動片を設けることにより、腹部に設けた薄い板がキラキラと光りながら音を常時発生させるため、従来のルアーよりも魚の活性を上げ、食いつきを良好にし、釣果を上げることが可能である。【００１３】  本発明の薄い板からなる可動片を餌木本体の腹部に設けた場合、餌木は海老の姿に似せた疑似餌である。したがって、餌木の腹部に薄い板からなる可動片を複数設けることにより、海老にも足があるように、餌木にも足があるように見え、見た目でも従来の餌木よりも海老の姿に似た餌木が可能である。【００１４】  薄い板には、ホログラフシールやアワビシールや夜光のシールなどのシールを板に貼ることが可能である。したがって、昼間や夜の釣りにおいて、よりアピール力を上げることが可能である。
【実施例】
【００１５】  図１は、本発明に係るルアー１の実施形態を示す正面図であり、図３は、その切欠断面図である。まず図１で示すように、ルアー１は、流線型に形状設定されたルアー本体１ａで、このルアー本体１ａの最先端位置に釣り竿から出た釣り糸を結ぶためのラインアイ７を設け、頭部の下部には重心位置が前方側に偏り、これによってルアー本体１ａが水中で沈められた状態で頭部を下方に向けて沈降していき、フィシング獲物が捕食する餌の動きに似せるためのシンカー４を設け、後端部にはフィシング獲物が食い付いたときに獲物を引っ掛けるためのフック５を設け、同腹部には、本発明の薄い板からなる可動片を複数設けることにより、薄い板２が前後に可動し、光の反射によるアピールと、音を常時発生させるアピールを備えた基本構成を有している。【００１６】  つぎにルアー本体１ａの腹部に設ける薄い板からなる可動片について説明する。図２の（２０）〜（２５）で示すように本実施形態においては、薄い板からなる可動片は、リング状のフック９に穴１１が開いた薄い板２を通すことにより、図５の（イ）〜（ホ）で示すように、薄い板２が前後に倒れ可動する。したがって、図１や図３で示すように、ルアー本体１ａと薄い板２は直接、繋がっておらず、リング状のフック９がルアー本体１ａと薄い板２を繋ぐ役目をはたしているため、薄い板２が、どの様な堅い材質の板であっても前後に倒れ可動する。【００１７】  図３は、図２の（２０）〜（２５）で示した薄い板からなる可動片をルアー本体１ａの腹部に複数設けた図であり、図３の（２０ａ）〜（２５ａ）で示している。【００１８】  つぎにルアー本体１ａの腹部に設ける薄い板からなる可動片の接続方法について説明する。従来のルアーを製造する場合、プラモデルのように左右対称のルアー本体１ａの方面側にラインアイ７やシンカー４やフック５を所定の場所に固定し、接着剤で取り付け重ね合わせることでルアー１を形成している。したがって、図３の（２０ａ）や（２１ａ）や（２３ａ）や（２４ａ）示すように、従来同様、ラインアイ７やシンカー４やフック５などを所定の場所に固定し、図２の（２０）や（２１）や（２３）や（２４）で示した薄い板からなる可動片をルアー本体１ａ腹部の固定するため、一定の間隔をあけ、ルアー本体１ａの腹部内部に、リング状のフック９を設置固定スペース１０設け、薄い板２を外部に出すため、リング状のフック９の太さの半円の穴をルアー本体１ａの腹部の両側にあけ、そこに、図２の（２０）や（２１）や（２３）や（２４）で示した、薄い板からなる可動片を設置固定し、接着剤を取り付け、重ね合わせることにより、図１で示すように、ルアー１を形成する。【００１９】  また、図２の（２２）と（２５）は、リング状のフック９の形状が穴に差し込むことができる構造になっているため、従来のルアーを形成後、一定の間隔をあけ、ルアー本体１ａの腹部にリング状のフック９の太さの穴をあけ、接着剤をつけ、穴に取り付けることにより、図１で示すように、本発明のルアー１を形成するやり方もある。【００２０】  前記、一定の間隔とは、図５の（イ）や（ホ）で示すように、腹部に対して薄い板が１８０度倒れる間隔幅のことである。また、薄い板２が図５の（イ）や（ホ）で示した状態のとき、薄い板２同士が重なり合っていても特に問題はない。【００２１】  図１で示すように、ルアー１には、頭部の下部にシンカー４が設けられている。そのため、シンカー４に一番近い薄い板２が、シンカー４に近すぎると、図５の（イ）や（ロ）で示すように、シンカー４の方向に倒れたとき、薄い板２がシンカー４にぶつかり、薄い板２が腹部に対して１８０度倒れない。したがって、シンカー４に一番近い薄い板２の間隔は、図５の（イ）で示した状態のとき、ぶつからない程度の間隔をあけた方が良い。【００２２】  つぎに、薄い板２とルアー本体１ａを接続しているリング状のフック９について説明する。図２の（２０）〜（２５）で示すように、リング状のフック９は、穴１１が開いた薄い板２が通せるような構造であり、図３の（２０ａ）〜（２５ａ）で示すように、リング状のフック９は、ルアー本体１ａ腹部の外部あり、薄い板２を前後に可動させる部分と、ルアー本体１ａ腹部の内部にあり、ルアー本体１ａとを固定するための部分がある。【００２３】  つぎに、ルアー本体１ａ腹部の外部あり、薄い板２を前後に可動させるリング状のフック９の部分の形は、図３の（２０ａ）や（２１ａ）や（２２ａ）のように、アルファベットのＯのようなリングの形のものや、図３の（２３ａ）や（２４ａ）や（２５ａ）のように、アルファベットのＵのように半円のリングの形をしたものがあるが、どちらも、薄い板を前後に可動させ、機能としては同じである。【００２４】  本実施形態においては、薄い板２の材質は、適度な重たさがあり、光の反射率が良い、金属の板が採用している。【００２５】  前記適度な重たさとは、ルアー１を水中で水平にした状態で、薄い板２の重さ、すなわち、重力の力で下の方向に引っ張られ、図５の（ハ）で示すような状態になる重たさのことである。【００２６】  本発明の音の鳴る原理は、薄い板２に開いている穴１１の内円とリング状のフック９が擦りあわさり音を発生させている。したがって、ルアー１のアクションの変化によって薄い板２が可動し、音が発生するのはもちろん、上下左右の動きがなく、水平に前へ進むただ引きやズル引きの状態であっても、図５で示すように、重力の力で（ハ）の方向へ引っ張られる力と、水の抵抗すなわち、水流の力で（ニ）や（ホ）の方向へ流され引っ張られる力が常に働くため、ルアー本体１ａの腹部に設けた薄い板２が上下左右のアクションに関係なく、ルアー１が水を切って前に進んでいる状態であれば水の抵抗をうけ、リング状のフック９と、薄い板２に開いている穴１１の内円が擦りあわさり、音を常時発生させることが可能である。【００２７】  リング状のフック９と、薄い板２に開いている穴１１の内円が擦りあわさり、音を常時発生させている。そのため、リング状のフック９と薄い板２の材質の種類によって、様々な音質や音域の変化が可能である。【００２８】  また、薄い板２に関しては、薄い板２に開いた穴１１の内円がリング状のフック９と擦りあわさり、音を常時発生させているため、内円の材質によって音が異なる。例えばプラスチックの板に開いた穴の内円を金属でコウティングなどをすることにより、プラスチックの板で光を反射し、音は金属音を��生させるプラスチックの板などが可能である。【００２９】  図５で示すように、薄い板２が水の抵抗すなわち、水流の力で（二）や（ホ）で示すように、後側に流され引っ張られる力と、薄い板２の重さすなわち、重力の力で（ハ）で示すように、下の方向へ引っ張られる力は、ルアー１の進む速度によって水の抵抗が異なるため、薄い板２が倒れる角度が異なります。しかし、ルアー本体１ａの腹部に設ける薄い板２の面積や重さを変えることによって、同じ速度でも、倒れる角度を調節することが可能である。薄い板２の面積を広くすることによって、水の抵抗をうける部分が増えるため、薄い板２は倒れやすくなり、対して、薄い板２の面積が狭くすることによって、水の抵抗をうける部分が少なくなるため、薄い板２は倒れにくくなる。また、薄い板２を軽くすることによって、重力の力で下の方向へ引っ張られる力が弱くなるため、薄い板２は倒れやすくなり、対して、薄い板２を重くすることによって、重力の力で下の方向へ引っ張られる力が強くなるため、薄い板２は倒れにくくなる。したがって、ルアーの用途に合わせて調節することが可能である。【００３０】  また、倒れにくくするやり方の一つに、リング状のフック９を通す穴１１とは別に、薄い板２に穴を開けるやり方がある。これによって、水が薄い板２を通りぬけるため、薄い板２にあたる水の抵抗が少なり、薄い板２は倒れにくくなる。【００３１】  薄い板２は、薄い金属の板を用いることで、光の反射によるアピールを可能にしている。しかし、光の反射率の弱い材質のものを用いたとしても、ホログラフシールやアワビシールやなどのシールを薄い板２に貼ることで、光の反射率を上げることが可能であり、夜光のシールを貼れば、夜の釣りにおいて、薄い板２が発光するため、よりアピール力が上がり、魚やイカなどのフィシング獲物の活性を上げることが可能である。【００３２】  ルアー１は、淡水や海水などの水中で使用し、ボトムや障害物などにぶつかることも多いため、リング状のフック９は、強度もあり、錆びにくい材質のものを使用した方が良い。例えばステンレスなど。【００３３】  図４は、本実施形態の薄い板２の左右にひねりの作用を説明するため説明図であり、薄い板２の左右にひねった状態を（ワ）と（ヲ）示している。【００３４】  図４で示すように、リング状のフック９と薄い板２に開いている穴１１の太さを変えることで左右にひねりを大きくすることも小さくすることも可能である。穴１１が開いた薄い板２とリング状のフック９の太さが同じであれば、薄い板２に開いた穴１１にリング状のフック９を通すと、薄い板２に開いた穴１１に余分なスペースがないため、左右のひねりはうまれない。対して、薄い板２に開いた穴１１よりも、リング状のフック９の太さが細くすれば、薄い板２に開いた穴１１に余分なスペースができ、左右のひねりはうまれる。したがって、光をあらゆる方向に反射させ、少しでも魚やイカなどのフィシング獲物に対して光のアピールを強めるため、本発明では、薄い板２に開いた穴１１より、リング状のフック９の太さを細くすることで、（ワ）と（ヲ）示すように、より薄い板２を左右にひねらせ、アピール力を上げている。【００３５】  図４の（ワ）と（ヲ）示すように、薄い板２は、真っ平なものであっても左右にひねりながら倒れるが、より左右のひねりを大きくさせるため、薄い板２を人間が食べ物を食べるときに用いるスプーンのすくう部分の形のように、片面がへこんでいて、もう反対の面をふくらんでいる形に薄い板２を形成することで、薄い板にあたる水の抵抗が異なり、より左右のひねりを大きくさせることが可能である。例えばスピナーベイトなどに用いるブレイドなどである。【００３６】  図４の（ワ）や（ヲ）で示すように、薄い板が左右のひねりながら倒れるため、ルアー１に対いて、左右からの水流をうけ流す効果や、トゥイッチングやジャキングなど、釣り人の竿さばきによって、ルアー１を左右にスライドさせ進むアクションをスムーズにさせる効果がある。【００３７】  図５は、本実施形態の薄い板２の作用を説明するため説明図であり、薄い板２が前後に倒れる状態を（イ）〜（ホ）で示している。【００３８】  図４で示すように、左右にひねりながら、図５で示すように、前後に倒れるため、ルアー１が飛んでいるときの空気抵抗を少なくし、水面に着弾するときの衝撃を軽減させる効果がある。【００３９】  図６で示すように、イカはルアー１に興味を示し、ルアー１の頭部（ヤ）や腹部（ユ）や尻部（ヨ）のいずれかの場所を触腕や腕部で抱きます。そのため、あわせをいれても針がかりしないことも多く、イカはルアー１を離してしまいます。しかし、ルアー１に違和感を覚えなければ、またイカは、ルアー１を抱きに来てくれます。したがって、図６の（ユ）で示すように、ルアー１の腹部を触腕や腕部で抱いたとき、薄い板２が図５の（イ）〜（ホ）で示すように前後に倒れることによって、違和感を軽減させる役目がある。【００４０】  図７で示すようにルアー５０は、魚を釣るときに用いるルアーである。その腹部に薄い板からなる可動片を複数設けた場合、薄い板２が前後に可動しながら光を反射し、音を常時発生させるため、目が上を向いているヒラメやマゴチなどの魚や、やや上を向いているカツオやスズキ（シーバス）に有効であり、また、ブラックバスやシイラやロウニンアジなどトップウォータープラグに反応する魚にも有効である。【００４１】  図７で示すようにルアー５０は、腹部にフック５が設けられている。したがって、薄い板２とフック５の関係は、フック５の方が薄い板２よりの下、腹部から離れていている状態の方が良い。これによって、魚がバイトしてきたとき、フック５の方が先に魚の口にあたるため、薄い板からなる可動片を設けたルアー５０でも、従来のルアー同様、魚をフッキングさせることが可能であり、薄い板からなる可動片を設けたからと言って、フッキング力が下がることはない。【００４２】  図７で示すようにルアー５０は、ルアー５０の様々なアクションによって、フック５と薄い板２が接触することがある。しかし、薄い板２が図４で示すように、左右にひねりながら、図５で示すように、前後に可動するため、ルアー５０本来のアクションや魚がバイトしてきたときのフッキング力を下げることはない。【００４３】  図７のルアー５０で示すように、背中部分が水面から出ている状態あっても、ルアー５０の腹部に設けた、薄い板２とリング状のフック９が水中に浸かっ��いる状態であれば、光の反射によるアピールはもちろん、音を常時発生させるアピ−ルも可能である。例えばトップウォータープラグなどである。【００４４】  上記の実施形態のおいては、ルアー１は、海老に模した餌木の腹部に、薄い板からなる可動片を設けていますが、本発明は、虫や魚類や甲殻類や両生類などの形を摸したルアーに設けることが可能であり、１つルアーに限定するものではない。【００４５】  上記の実施形態のおいては、薄い板２は楕円形の形をしていますが、楕円形の形に限定するものではなく、三角や四角など様々な形をした薄い板２を用いることが可能である。【００４６】  上記の実施形態のおいては、薄い板２は、１つの材質に限定されるものではなく、金属の板・ガラスの板・プラスチックの板・アクリルの板・木の板など様々な材質の板を用いることも可能である。【００４７】  上記の実施形態のおいては、薄い板からなる可動片は、ルアー本体１ａ腹部の中心に一列に連なることに限定するものではなく、ルアー本体１ａの腹部の横幅の広さや薄い板２の大きさによっては、二列・三列もしくは、左右交互に設けることが可能である。【００４８】  図１および図３は、ルアー本体１ａの腹部に、複数の薄い板からなる可動片を設けた図であり、図１はルアー本体１ａ腹部に複数の薄い板からなる可動片を設けた正面図であり、図３はルアー本体１ａの腹部に複数の薄い板からなる可動片を設けた切欠断面図である。【００４９】  図２は、ルアー本体１ａの腹部の設ける薄い板からなる可動片である。【００５０】  図４および図５は、薄い板からなる可動片の作用を説明するための説明図あり、図４は、薄い板２が左右にひねった状態を（ワ）と（ヲ）示した図であり、図５は、薄い板２が前後に倒れる状態を（イ）〜（ホ）で示した図である。【００５１】  図６は、薄い板からなる可動片を設けたルアー１に、イカなどのフィシング獲物が触腕や腕部で抱いたときの状態を示した図である。【００５２】    図７は、薄い板からなる可動片を腹部にフックがあるルアー５０に設けた図である。
【図面の簡単な説明】
【００５３】
【図１】ルアー本体一実施例を示す正面図である。
【図２】ルアー本体の腹部に複数設ける薄い板からなる可動片である。
【図３】ルアー本体の切欠断面図である。
【図４】薄い板が左右にひねった状態を示した図である。
【図５】薄い板が前後に倒れる状態を示した図である。
【図６】イカなどのフィシング獲物がルアーを触腕や腕部で抱いたときの状態を示した図である。
【図７】薄い板からなる可動片を腹部にフックがあるルアーに設けた図である。
【産業上の利用可能性】
【００５４】  本発明は、従来のアピール効果である色や模様や形やアクションや飛距離などの機能は失うことはなく、新たに音を常時発生するアピールと光を反射させて光るアピールがくわわり、従来のルアーよりもアピールの幅が広がっている。【００５５】  本発明の腹部に設ける薄い板には様々な形や色があります。したがって、ルアーを買うとき、どの様なアクションをするかなど機能も大切ですが、色や模様も重要視されていて、本発明が可能になることで、色や模様が同じルアーであっても、薄い板の形が楕円形や涙型などの形をしたものや、薄い板の色が金色や銀色や赤色や青色など、様々なバリエーションが可能になり、今までよりもアピールの幅や選ぶ種類が増えると考えられる。【００５６】  本発明の腹部に設ける薄い板には、ホログラフシールやアワビシールや夜光シールなどのシールを貼ることが可能であり、よりアピール力を上げることや自分オリジナルのルアーにすることが可能である。
【符号の説明】
【００５７】    １    ルアー
１ａ  ルアー本体
２    薄い板
３    羽根
４    シンカー
５    フック
６    内部空間
７    ラインアイ
８    アイ
９    リング状のフック
１０  固定設置スペース
１１  穴
５０  ルアー
【図１】
2010041987.tif 000003
【図２】
2010041987.tif 000004
【図３】
2010041987.tif 000005
【図４】
2010041987.tif 000006
【図５】
2010041987.tif 000007
【図６】
2010041987.tif 000008
【図７】
2010041987.tif 000009